(57)【要約】      （修正有）【課題】モニタに表示する画面データの切替えを迅速に行える電子書籍リーダを提供する。【解決手段】不揮発性メモリｆＭは、複数ページの画面データについて、１ページ分の画面データを１つのレイヤとしレイヤの積層順序にて各画面データを識別できるように収容し、マイコンＭは、画面データを不揮発性メモリｆＭから揮発性メモリｍＭへ読み込みモニタへ表示させ、揮発性メモリｍＭは１ページ分のデータ読込みの領域を提供し、ページ送り用インターフェイス６は、マイコンＭに接続されて表示する画面データと対応するレイヤの送り操作を受け付け、マイコンＭは、送り操作により所望のレイヤの画面データを、不揮発性メモリｆＭから揮発性メモリｍＭの前記領域へ読み込み、ＧＰＵ４によりモニタへ表示させる電子書籍リーダ。【選択図】図１
2016200706.tif 000002
【特許請求の範囲】
【請求項１】
可搬性を有するケースに備えられた、マイコン（１）と、揮発性メモリ（２）と、不揮発性メモリ（３）と、ＧＰＵ（４）と、画面データの画像を表示するモニタ（５）と、ページ送り操作部（６）とを有し、前記ケースへ設けられた充電又は交換可能なバッテリにて駆動するものであり、
前記ＧＰＵ（４）は、揮発性メモリ（２）上の画面データを前記モニタ（５）へ表示させる画像処理専用のプロセッサユニットであり、
前記マイコン（１）は、前記揮発性メモリ（２）及び前記不揮発性メモリ（３）間の画面データの受け渡しの処理と、揮発性メモリ（２）上の画面データの前記ＧＰＵ（４）によるモニタ（５）への表示処理と、送り操作部（６）からの指令の処理とに係るプログラムを、揮発しないように書き込まれた組み込み式のプロセッサユニットであり、
前記不揮発性メモリ（３）は、モニタ（５）へ表示する前記画面データを収容することができ、
前記不揮発性メモリ（３）は、モニタ（５）へ一度に表示する画面データを１ページ分の画面データとし、複数ページの前記画面データについて、メモリ上のページの配置情報を必要とするファイリングシステムの採用に代え、１ページ分の画面データを１つのレイヤとしレイヤの積層順序にて各画面データを識別できるように収容し、
前記マイコン（１）は、前記モニタ（５）へ表示するページの画面データを前記不揮発性メモリ３から前記揮発性メモリ（２）へ読み込み、前記ＧＰＵ（４）によって、前記モニタ（５）へ表示させるものであり、
前記揮発性メモリ（２）は、前記画面データに関し１ページ分のデータサイズのみデータ読込みの領域を提供するものであり、
前記ページ送り操作部（６）は、前記マイコン（１）に接続され、且つ、表示する画面データと対応するレイヤの送り操作を、利用者から受け付けるものであり、
前記マイコン（１）は、前記送り操作により指定されたレイヤの画面データを、前記不揮発性メモリ（３）から揮発性メモリ（２）の前記領域へ読み、当該指定されたレイヤの画面データを前記ＧＰＵ（４）によって前記モニタ（５）へ表示させることを特徴とする電子書籍リーダ。
【発明の詳細な説明】
【技術分野】
【０００１】
本願発明は、電子書籍リーダに関するものである。
【背景技術】
【０００２】
近年旧来の紙媒体の書籍に代え、書籍の内容が電子データ化された電子書籍データの利用が活発化している。
電子書籍リーダは、電子書籍データを表示する専用ソフトウェアを備えた電子機器であり、携帯して電子書籍データの閲覧をどこでも自由に行うことを可能としたものである（特許文献１）。
【先行技術文献】
【特許文献】
【０００３】
【特許文献１】特開２０１２−１８１８７３号公報
【発明の概要】
【発明が解決しようとする課題】
【０００４】
特許文献１に例示したものを含め、電子書籍リーダは、読み出すメモリ上にデータを配置する配置テーブルや、メタデータを呼び出して表示するタグなどの制御データを付して、少なくとも一冊の書籍の各ページのデータを全て、揮発性の内部メモリへ読み出していた。
このため、揮発性の内部メモリへ占めるデータ量は大きく、また、所望のページへの移動を行おうとすると、ＣＰＵ（Central Processing Unit／中央情報処理装置）が上記テーブルや制御記号を解釈して、膨大なデータの中から所望のページデータを液晶等のモニタ画面へ表示させる必要がある。また、ＣＰＵは画面のモニタへの表示以前に、ＯＳ（Operating system／オペレーティングシステム）やブラウザをメモリ上に読み込んでおく必要があった。
このため、次の問題が生じた。
第１に、電子書籍リーダの利用中、動作の遅さを感じることがあった。
第２に、上記動作によるバッテリの消費も大きく、頻繁な充電を迫られる。
第３に、楽譜を適切に表示できる電子書籍リーダは提案されるに至っていない。例えば、オーケストラの各奏者が受け持ちの楽器の楽譜などを手元で見ながら演奏の練習を行うといった利用に適する電子書籍リーダは皆無である。本願の発明者において、第３の問題は上記第１の問題に起因すると考えており、リアルタイムに楽譜の必要な個所を表示できる電子書籍リーダがあれば、電子書籍リーダの利用も可能と思われた。
本願発明は、上記各課題の解決を図る。
【課題を解決するための手段】
【０００５】
本願発明は、可搬性を有するケースに備えられた、マイコン１と、揮発性メモリ２と、不揮発性メモリ３と、ＧＰＵ４と、画面データの画像を表示するモニタ５と、ページ送り操作部６とを有し、前記ケースへ設けられた充電又は交換可能なバッテリにて駆動するものであり、前記ＧＰＵ４は、前記揮発性メモリ２上の画面データを前記モニタ５へ表示させる画像処理専用のプロセッサユニットであり、前記マイコン１は、前記揮発性メモリ２及び前記不揮発性メモリ３間の画面データの受け渡しの処理と、前記揮発性メモリ２上の画面データの前記ＧＰＵ４によるモニタへの表示処理と、送り操作部６からの指令の処理とに係るプログラムを、揮発しないように書き込まれた組み込み式のプロセッサユニットであり、前記不揮発性メモリ３は、前記モニタ５へ表示する前記画面データを収容することができ、前記不揮発性メモリ３は、前記モニタ５へ一度に表示する画面データを１ページ分の画面データとし、複数ページの前記画面データについて、メモリ上のページの配置情報を必要とするファイリングシステムの採用に代え、１ページ分の画面データを１つのレイヤとしレイヤの積層順序にて各画面データを識別できるように収容し、前記マイコン１は、前記モニタ５へ表示するページの画面データを前記不揮発性メモリ３から前記揮発性メモリ２へ読み込み、前記ＧＰＵ４によって、前記モニタ５へ表示させるものであり、前記揮発性メモリ２は、前記画面データに関し１ページ分のデータサイズのみデータ読込みの領域を提供するものであり、前記ページ送り操作部６は、前記マイコン１に接続され、且つ、表示する画面データと対応するレイヤの指定操作を、利用者から受け付けるものであり、前記マイコン１は、前記送り操作により指定されたレイヤの画面データを、前記不揮発性メモリ３から揮発性メモリ２の前記領域へ読み込み、当該指定されたレイヤの画面データを前記ＧＰＵ４によって前記モニタ５へ表示させることを特徴とする電子書籍リーダを提供する。
尚、ＧＰＵは、Graphics Processing Unit（グラフィックス・プロセッシング・ユニット）の略である。
また、上述の「モニタ５へ一度に表示する」とは、モニタ５の画面の物理的な大きさに収まるように表示することを含む他、スクロールさせて一度に表示することも含む。
【発明の効果】
【０００６】
本願発明は、従来のファイルシステムを利用しないものであり、利用者による送り操作部の操作にて、モニタに表示する画面データの切替えを迅速に行える。従って、電子書籍を読む利用者のストレスを低減した。また、データの処理手段として表示のためのデータの取り扱いに必要な最小限の処理を行うマイコンを利用することと、画面の上記切替処理の迅速化とによって、バッテリの消費を抑制でき、頻繁に充電や交換を行う必要をなくした。
更にまた、本願発明は、奏者が演奏のため楽譜を表示するのに適する電子書籍リーダを提供できた。
【図面の簡単な説明】
【０００７】
【図１】（Ａ）及び（Ｂ）は本願発明に係る電子書籍リーダを単独で利用する場合の主要部の作動状態を示す説明図。
【図２】本願発明に係る電子書籍リーダを単独で利用する場合の主要部の作動状態を示す説明図。
【図３】（Ａ）及び（Ｂ）は本願発明に係る電子書籍リーダへＰＣユニットを接続して利用する場合の、当該電子書籍リーダの主要部の作動状態を示す説明図。
【図４】本願発明に係る電子書籍リーダへＶＰＮの通信制御装置を接続して利用する場合の、当該電子書籍リーダの主要部の作動状態を示す説明図。
【図５】本願発明に係る電子書籍リーダへＶＰＮの通信制御機能を備えたＰＣユニットを接続して利用する場合の、当該電子書籍リーダの主要部の作動状態を示す説明図。
【発明を実施するための形態】
【０００８】
以下、図面に基づき本願発明の実施の形態を説明する。
（基本構成）
図１へ示す通り、この電子書籍リーダａは、可搬性を有するケース１０を備える。ケース１０内には、マイコンＭと、メインメモリｍＭと、不揮発性メモリｆＭと、ＧＰＵ４と、画面データの画像を表示するビデオパネルＰと、デジタイザＤと、デジタイザドライバＤｄと、バススイッチＳＷと、ページ送り操作部６と、ＰＣ接続ソケット８と、ＣＰＵ切替信号インターフェース９と、バッテリ（図示しない。）と、起動スイッチ（図示しない。）とが備えられている。
特許請求の範囲の記載との関係において、マイコンＭはマイコン１に、メインメモリｍＭは揮発性メモリ２に、不揮発性メモリｆＭは不揮発性メモリ３に、ビデオパネルＰはモニタ５に、夫々対応する。
【０００９】
（ケース１０）
上記のケース１０は、持ち運びできるタブレット型のものを採用する。ケース１０は、Ａ４サイズ或はＡ４サイズよりも小さいサイズとするのが好ましい。但し、持ち運びできれば、上記サイズのものにケース１０を限定するものではない。
【００１０】
（マイコンＭ）
上記マイコンＭは、特定の処理に係る制御プログラムを、揮発しないように書き込まれた組み込み式のプロセッサユニット（Embedded system）である。
この例において上記の特定の処理は主として、
１）メインメモリｍＭ及び不揮発性メモリｆＭ間の画面データの受け渡しの処理と、
２）メインメモリｍＭ上の画面データのＧＰＵ４によるビデオパネルＰへの表示処理と、
３）送り操作部６からの指令の処理と、
４）ビデオパネルＰからのデジタイザＤへの入力情報をメインメモリｍＭ上の画面データへ反映させる画像処理である。
但し、画面データの閲覧だけであれば、マイコンＭにおいて上記４）の処理の制御機能は不要である。
【００１１】
マイコンＭは、一般のＰＣ（パーソナルコンピュータ）に用いられるＣＰＵと異なり、上記の特定の処理の制御に機能が限定されたものである。従って、電子書籍リーダａのマイコンＭはＯＳやブラウザのソフトウエアをメインメモリｍＭへ読み込むなどの機能は備えない。
マイコンＭは、画面データにファイリングシステムを付与しない。即ち、マイコンＭは、ファイリングシステムを用いずにビデオパネルＰへ表示する画面データを揮発性メモリｍＭへ読み込むのである。
マイコンＭは、ビデオパネルＰへ表示するページの画面データを不揮発性メモリｆＭからメインメモリｍＭへ読み込み、ＧＰＵ４によって、ビデオパネルＰへ表示させることができる。
【００１２】
（バススイッチＳＷ、ＣＰＵ切替信号インターフェース９）
マイコンＭとメインメモリｍＭと不揮発性メモリｆＭとＧＰＵ４とはバス接続されている。この例では、図１〜図３へ示す通り、バススイッチＳＷを介してマイコンＭとメインメモリｍＭと不揮発性メモリｆＭとＧＰＵ４とは互いにバス接続されている。
各図において、ＢａはマイコンＭとバススイッチＳＷ間のバス接続線を示し、ＬｄはデジタイザドライバＤｄとバススイッチＳＷとの間のバス接続線を示し、ＢｃはメインメモリｍＭとバススイッチＳＷとの間のバス接続線を示し、Ｌｅは不揮発メモリｆＭとバススイッチＳＷとの間のバス接続線を示し、ＬｂはＧＰＵ４とバススイッチＳＷとの間のバス接続線を示し、ＢｂはバススイッチＳＷとＰＣ接続ソケット８とのバス接続線を示す。上記各バス接続線には、ピーシーアイエクスプレス（PCI Express）を採用することができる。但し、バス接続線は、ピーシーアイエクスプレスに限定するものではなく、バス接続線として他のシリアル或いはバラレル接続線を用いて実施することを制限するものではない。
また、各図において、ＬａはビデオパネルＰとＧＰＵとの間の接続線を示し、ＬｃはデシタイザＤとデジダイザドライバＤｄとの間の接続線を示し、ＬｆはバススイッチＳＷとＰＣ接続ソケット８とをＣＰＵ切替信号インターフェース９を介して接続する信号線を示す。
【００１３】
ＰＣ接続ソケット８側から信号線Ｌｆを通じＣＰＵ切替信号インターフェース９が、ＰＣ接続ソケット８に他のユニットからの切替信号を受け付けると、バススイッチＳＷは、バス接続線Ｂａの接続を断ち、マイコンＭが行っていた、メインメモリｍＭ、不揮発メモリｆＭ、ＧＰＵ４及びデジタルドライバＤｄへのデータのやり取りを遮断し、制御をマイコンＧ側からＰＣ接続ソケット８に接続された他のユニットへ移す。
ＰＣ接続ソケット８から上記他のユニットが外されると電子書籍リーダａの上記各デバイスについてマイコンＭの配下へ制御が戻る。
【００１４】
（ＰＣ接続ソケット８）
ＰＣ接続ソケット８は、上記バス接続線Ｂｂが接続された外部バス接続スロット８ａと、ＣＰＵ切替信号インターフェース９の端子８ｂとを備える。ＰＣ接続ソケット８は、独自規格のソケットであり、他の汎用ソケットに接続される周辺機器を接続することはできない。後述するＰＣユニットｂやＶＰＮ無線通信ユニットＲｕはＰＣ接続ソケット８と接続可能な即ちＰＣ接続ソケット８を介して電子書籍リーダａへ着脱自在に取り付けることができる独自規格のユニットである。
【００１５】
（不揮発性メモリｆＭ）
上記不揮発性メモリｆＭは、電子書籍リーダａをオフにしても、即ち上記バッテリからの電気の供給が断たれても収容したデータを消失せずに保持する。
不揮発性メモリｆＭは、ビデオパネルＰへ表示する画面データを収容する。不揮発性メモリ３は、ビデオパネルＰへ一度に表示する画面データを１ページ分の画面データとして収容する。この電子書籍リーダａは、複数ページの画面データに対しファイリングシステムを採用しない。ページの配置情報を必要とする上記ファイリングシステムに代え、不揮発性メモリｆＭは、複数ページの前記画面データについて、１ページ分の画面データを１つのレイヤとしレイヤの積層順序にて各画面データを識別するように収容する。具体的には、不揮発性メモリｆＭに収容された複数ページの画面データは、不揮発性メモリｆＭに収容された順序で識別される。即ち、レイヤの積層順序とは、不揮発性メモリ３への収容順序である。画面データはローデータ（raw data／生データ）であり、テーブル情報を持たないのである。
【００１６】
（メインメモリｍＭ）
メインメモリｍＭは、一時的にデータを収容する揮発性のメモリであり、電気の供給が断たれるとデータを消失する。
メインメモリｍＭは、前記画像データに関し１ページ分のデータサイズのみデータ読込みの領域を提供する。即ち、メインメモリｍＭが画面データに対し提供するメモリサイズが、上記１ページ分のデータサイズである。
【００１７】
（ＧＰＵ４）
上記ＧＰＵ４は、揮発性メモリ２上の画面データをビデオパネル（モニタ５）へ表示させる画像処理専用のプロセッサユニットである。ＧＰＵ４は、画像表示用のビデオメモリｖＭを備える。ＧＰＵ４には、周知の画像処理プロセッサユニットを採用することができる。ＧＰＵ４は、ビデオメモリｖＭにて、透過レイヤを含む複数のレイヤを結合して１ページ分のデータサイズの画面データにしてビデオパネルＰへ表示させることができる。
尚、透過レイヤとは画像中に透明で下層のレイヤを透かし見ることができる領域を含んだレイヤをいい、不透過レイヤとは全体が不透明なレイヤをいう。
ＧＰＵ４は、ビデオメモリｖＭにて、メインメモリｍＭから順次送られてきた複数ページに渡る透過レイヤを積層して、ビデオバネルＰへ各レイヤの透明領域を透かして見せるように表示することができる。
その一方、マイコンＭにて、透過レイヤ同士や、透過レイヤと不透過レイヤとを重ねて結合し、１ページ分のデータサイズにすることができる。例えば、個々の楽器の演奏者の楽譜データを透過レイヤのデータとし、各楽器の演奏者全ての楽譜を結合して、交響曲の指揮者のスコアとして表示することができる。
用途に応じて、複数の透過レイヤを、不透過レイヤのページのみの画面データを集積している場合と同様、結合せず利用することも可能である。
【００１８】
（ビデオパネルＰ）
上記ビデオパネルＰは、周知の液晶パネルを採用する。特に入力ペンや指先にて手書きの画像入力を受け付けることができる入力パネルを採用する。
ビデオパネルＰには、液晶パネルの他プラズマディスプレイを採用することができる。
また、ビデオパネルＰには、特許第５５８０８９１号などに記載のイーインク社の電子ペーパを採用することができる。
上記電子ペーパは、流体中に懸濁または浮遊した複数の顔料粒子を含む電気泳動媒体及び当該電気泳動媒体に電場をかけるために配置された１個以上の電極を含む電気泳動ディスプレイである。上記電子ペーパは、電気泳動媒体であるインクの玉（粒子）の角度を変えることにて濃淡をモニタ画面に表現することができる。
上記の電子ペーパは、白黒表示となるので、フルカラー表示などのカラー表示を行いたい場合、液晶パネルやプラズマパネル或いは有機ＥＬを採用する。プラズマパネルはバッテリの消耗が大きく有機ＥＬは現時点でコストパフォーマンスが低いので、液晶パネルを採用するのが好ましい。
【００１９】
（デジタイザＤとデジタイザドライバＤｄ）
デジタイザＤは、入力パネルであるビデオパネルＰから入力ペンにて受け付けた手書きの入力データを、座標データに変換する。デジタイザＤは、第１接続線ＬａにてＧＰＵ４に接続されている。また、デジタイザＤは、第２接続線ＬｃにてデジタイザドライバＤｄへ接続されている。デジタイザＤにて変換された座標データは、デジタイザドライバＤｄにてバス接続線Ｌｄを通じバススイッチＳＷ側へ送られる。マイコンＭは、上記座標データをバス接続線Ｂｃを通じてメインメモリｍＭ上の画面データへ反映させる。
デジタイザＤは、デジタイザデータをマイコンＭの制御を受けて画面データに変換してメインメモリｍＭに展開し、ＧＰＵ４によってビデオパネルＰに表示させるのである。
【００２０】
（ページ送り操作部６）
上記ページ送り操作部６は、前記マイコンＭに接続されている。ページ送り操作部６は、ページ送り用インターフェースを備える。この例では、ページ送り操作部６は、ページ送り用のスイッチ（図示しない。）の操作を受け付ける。
各図中Ｌｇは当該スイッチの接続線を接続することができるページ送り用インターフェースの端子を示す。
ページ送り操作部６は、利用者から表示する画面データと対応するレイヤの送り操作を受け付けたことをマイコンＭへ通知する。マイコンＭは、ページ送り操作部６の受け付けた操作にて、不揮発メモリｆＭ上のレイヤを順にメインメモリｍＭの前記画面データの収容領域へ送り、先に読み込まれたレイヤを順次上書きして行く。利用者は、ＧＰＵ４によってモニタ５へ順次表示される各レイヤの画面データを確認して所望のレイヤの画面データが表示されたとき、ページ送り操作部６の操作を止めればよい。
ページ送り操作部６は、当初より上記スイッチを備えるものとしても実施できる。
【００２１】
（バッテリと起動スイッチ）
上記バッテリは、この例では、充電式のものを採用する。上記バッテリは、ケース１０から取り外して交換できるものとしても、ケース１０と一体で３ｌ取り外せないものとしても実施できる。バッテリをケース１０と一体とした場合、電源コード（図示）を用いて外部の電源からバッテリを充電するものとしても実施できるし、ケース１０が外部の電源との接続プラグを出没自在に備えるものとしても実施できる。
更に上記バッテリには、乾電池などの交換式のものを用いて実施することもできる。また、充電式のバッテリと乾電池などの交換式のバッテリの双方を利用できるものとしても実施可能である。上記バッテリの使用と共に、家庭やオフィスのコンセントに接続して使用することを選択できるものとしても実施できる。また、自動車のシガレットライタの電源供給ソケットへ接続して、充電や使用することができるものとしても実施できる。
【００２２】
利用者は、上記起動スイッチを操作することによって、電子書籍リーダａを起動することができる。即ち、上記起動スイッチの操作にて、バッテリと、上記各デバイスとを電気的に接続し、バッテリの電気を各デバイスへ供給することができる。尚、電圧トランスや交流・直流変換機等の、内部電源部のバッテリ以外の構成については、周知のものを採用する（図示しない）。
【００２３】
（電子書籍リーダａの単独使用）
図１（Ａ）へ示す通り、ＰＣ接続ソケット８へ何も接続されていない状態において、利用者の電源スイッチの操作により電源が投入され電子書籍リーダａを起動すると、マイコンＭが不揮発性メモリｆＭにある画面データをメインメモリｍＭへ送る。このとき不揮発性メモリｆＭに複数ページに渡る画面データがある場合、最後に収容された画面データのページがメインメモリｍＭへ送られる。メインメモリｍＭへ送られた画面データは、ＧＰＵ４によりビデオパネルＰへ表示される。即ち、電源投入により起動されたマイコンＭによって不揮発性メモリｆＭの最後のページがバス接続線Ｌｅを通して、メインメモリｍＭに読み込まれ、バス接続線Ｌｂを通してＧＰＵ４に渡される。ＧＰＵ４はビデオパネルＰに応じたデータとしてビデオメモリｖＭに展開し、ビデオメモリｖＭに展開されたデータはバス接続線Ｌａを通してビデオパネルＰに表示される。
【００２４】
不揮発性メモリｆＭに収容されているコンテンツがページ構成を持っている場合即ち、画面データが上記のように複数ページある場合、図１(Ｂ)へ示す通り、端子Ｌｇを通じて接続された送り操作部６即ちページ送り用インターフェースからの信号を、マイコンＭが受け取り、受け取った信号に応じた、ページデータ即ちレイヤを読み込む。
不揮発性メモリｆＭ中の複数ページの画面データのうちビデオパネルＰへ表示されたものと異なる画面データを表示し直したい場合、ページ送り操作部６の上記スイッチの操作により、各ページの画面データを送り順次メインメモリｍＭの画面データを書き換えてビデオパネルＰへ表示する画面を変えて行き、所望の画面データを探し出せばよい。
【００２５】
入力ペン即ちタッチペンとして専用のスタイラスペン（図示しない。）を使って、ビデオパネルＰへ書き込みがされた場合は、図２へ示す通り、デジタイザＤからバス接続線Ｌｃを通じてデジタルドライバＤｄに信号が送られ、処理されたデータがバス接続線Ｌｄ，Ｂａを通じてマイコンＭへ送られる。マイコンＭは現在メインメモリｍＭに保持している画面データと別レイヤーのデータとして、不揮発性メモリｆＭに保存し、統合した画面データとしてバス接続線Ｌｂを通してＧＰＵ４に渡す。電子書籍リーダａの電源が切られた場合、現在ビデオパネルＰに表示されていた画面データが何であったかを不揮発性メモリｆｍに記録して、終了することができる。
上記にて、入力ペンでビデオパネルＰ上の表示に対して手書きで入力を行い、デジタイザＤにてデジタルデータ（座標データ）にデータ変換し、マイコンＭの制御にてデジタルドライバＤｄにより、メインメモリｍＭ上の画面データへ書き加えることができる。
上記手書き入力を当初の画面データと別レイヤのデータ即ち別ページの画面データとしてメインメモリｍＭから不揮発性メモリｆＭへ加えることができるのである。
【００２６】
（ＰＣユニットｂの利用）
図３へ示す通り、上記電子書籍リーダａには、電子書籍リーダａと別体のＰＣユニットｂを取り付けて利用することができる。
具体的には、図３（Ａ）へ示すように、ＰＣ接続ソケット８へＰＣユニットｂを接続して外部バス接続スロット８ａにＰＣユニットｂのバス端子を結合し、ＰＣユニットｂの電源を投入すると信号線Ｌｆを通じてＣＰＵ切替信号がマイコンＭに伝えられ、メインメモリｍＭをはじめとし、ＧＰＵ４、デジタイザドライバＤｄ、不揮発性メモリｆＭなどもＰＣユニットｂの支配下で起動する。この場合、ＰＣユニットｂからは、不揮発性メモリｆＭはストレージとして認識されるが、不揮発性メモリｆＭへの読み書きは専用アプリ（専用アプリケーション・ソフトウエア）によってのみ実行される。マイコンＭにはファイルシステムが無いため、ＰＣユニットｂ上で当該専用アプリを起動すると、ＰＣユニットｂで表示されたデータは、ページ画面毎に不揮発性メモリｆＭへ転送され保存される。
【００２７】
図３（Ｂ）へ示すように、ＰＣユニットｂは電子書籍リーダａを一般的なディスプレイとして使えるが、その場合、不揮発性メモリｆＭは機能しない。
ＰＣユニットｂは、ＣＰＵと、前述のＰＣ接続ソケット８へ接続することが可能な独自形状の接続端子部を備え、電子書籍リーダａと接続することにより、電子書籍リーダａを上記の通りディスプレイとして利用することができる。即ち、ＰＣユニットｂは、ディスプレイを備えないＰＣであり、ＰＣユニットｂを電子書籍リーダａと接続することにより、タブレット型ＰＣとして利用することができる。ＰＣユニットｂは、後述するＶＰＮ無線通信ユニットＲｕと同様の構成を備えＶＰＮ無線通信ユニットＲｕの機能を発揮することができる。この他ＰＣユニットｂは、ＶＰＮの有線通信機能を備えるものとすることができる。また、ＰＣユニットｂが備える通信機能は、ＶＰＮを利用するものに限定ものではなく、ＶＰＮを利用しない他の通信手段を備えるものとしても実施できる。
ＰＣユニットｂは、電子書籍リーダａよりも小さな筐体に収められたものであり、電子書籍リーダａと接続しても電子書籍リーダａの可搬性即ち携帯性を損なわない。
より詳しくは、ＰＣユニットｂの上記接続端子部は、ＰＣ接続ソケット８の外部バス接続スロット８ａと接続可能なバス端子と、ＣＰＵ切替信号インターフェース９の端子８ｂと接続可能な信号線端子とを備える。
【００２８】
電子書籍リーダａのＰＣ接続ソケット８へＰＣユニットｂの上記接続端子部が接続されると、ＰＣユニットｂは、上記接続端子部からＣＰＵ切替信号インターフェース９を通じてバススイッチＳＷへ切替信号を送り、バス接続線Ｂａを遮断し、バススイッチＳＷに接続されているメインメモリｍＭや不揮発性メモリｆＭ、ＧＰＵ４、デジタイザドライバＤｄの制御をマイコンＭからをＰＣユニットｂの上記ＣＰＵの配下に移す。即ち、ＰＣユニットｂの接続によって、マイコンＭは機能を停止し、電子書籍リーダａはバス接続線Ｂｂを通じてＰＣユニットｂから制御される。
電子書籍リーダａの制御を得たＰＣユニットｂは、前述の専用アプリを利用しバス接続線Ｂｂを通じて不揮発性メモリｆＭ内へ画面データを収容することができる。また、ＰＣユニットｂは、バス接続線Ｂｂを通じて不揮発性メモリｆＭ内の画面データを取り込むことができる。ＰＣユニットｂに取り込まれたデータは、通常のファイルシステムを用いて処理することができる。例えばＰＣユニットｂにおいて、取り込んだローデータをＪｐｅｇ（ジェイペグ）やＰＤＦ（ポータブルドキュメントファイル）などの他の形式の画像データに変換して利用することができる。ＰＣユニットｂは、汎用或いは専用のＯＳを利用することができる。
ＰＣユニットｂは、ＰＣ接続ソケット８とページ送り操作部６（ページ送り用インターフェース）以外に外部との接続口を備えない電子書籍リーダａと異なり、Bluetooth（登録商標）、ＵＳＢや他のシリアルポートや或いはパラレルポートを備えるものとすることにより、キーボードや外部のストレージを利用することができる。
また、ＰＣユニットｂは、無線ＬＡＮや有線のＬＡＮを利用することができる通信手段を備えるものとし、例えば、Ｗｉｆｉなどにてインターネットを利用することや遠隔にあるサーバのデータを利用できるものとするのが好ましい。
【００２９】
（ＶＰＮ無線通信ユニットＲｕの利用）
上記ＰＣユニットｂを接続する以外に、図４示す通り、上記電子書籍リーダａには、電子書籍リーダａとは別体に形成されたＶＰＮ無線通信ユニットＲｕを取り付けて利用することができる。即ち、ＶＰＮ無線通信ユニットＲｕは、ＰＣ接続ソケット８へ接続することにより、電子書籍リーダへ取り付けるための接続用端子部を備える。この接続用端子部は、接続ソケット８の外部バス接続スロット８ａと接続可能なバス端子部と、ＣＰＵ切替信号インターフェース９の端子８ｂと接続可能な信号線端子部とを備える。
電子書籍リーダａのＰＣ接続ソケット８へＶＰＮ無線通信ユニットＲｕの接続端子部が接続されると、ＶＰＮ無線通信ユニットＲｕは、上記新合繊端子からＣＰＵ切替信号インターフェース９を通じてバススイッチＳＷへ切替信号を送り、バス接続線Ｂａを遮断し、バススイッチＳＷに接続されているメインメモリｍＭや不揮発性メモリｆＭ、ＧＰＵ４、デジタイザドライバＤｄの制御をマイコンＭからをＶＰＮ無線通信ユニットＲｕの配下に移す。即ち、ＰＣユニットｂの接続によって、マイコンＭは機能を停止し、電子書籍リーダａはバス接続線Ｂｂを通じてＶＰＮ無線通信ユニットＲｕや当該ＶＰＮ無線通信ユニットＲｕと交信する他のＰＣから制御される。
上記のＶＰＮ無線通信ユニットＲｕには、ＶＰＮ（Virtual Private Network）を利用した秘匿通信システムに用いられる通信制御装置を利用することができる。
例えば、特許第４８４８０５２号に記載の、システムで利用される秘匿通信装置を利用することができる。
【００３０】
具体的には、特許第４８４８０５２号の秘匿通信システムは、インターネット等の広域通信網を利用する複数の利用者の端末間にて、利用者の認証後ＶＰＮ結合情報を交換し秘匿通信を行うＶＰＮによる秘匿通信システムにおいて、上記広域通信網である第１の通信網と、無線或いは有線のＰ２Ｐ通信網である第２の通信網とを利用するものであり、上記利用者夫々の上記端末に通信制御装置が設けられ、上記通信制御装置は、上記Ｐ２Ｐ接続の相手方の電話番号を特定情報として格納する記憶部と、送受信処理部と、秘匿通信準備部と、切替え部とを備え、上記秘匿通信準備部は、上記第１の通信網においてＶＰＮ結合を確立するのに必要なＶＰＮ結合情報を、上記通信制御装置間で上記第２の通信網を通じて交換し、上記切替え部は、上記第２の通信網により当該交換された上記ＶＰＮ結合情報に基づく通信方法により、上記第１の通信網にて上記ＶＰＮによる秘匿通信を開始するものであり、上記利用者の認証として、上記通信制御装置の接続認証が含まれるものであり、上記秘匿通信には、暗号鍵方式を採用し、上記ＶＰＮ結合情報には、秘匿通信に採用する暗号鍵方式の情報が含まれ、上記特定情報とは接続先の電話番号であり、上記Ｐ２Ｐ接続の接続元の上記記憶部は、上記Ｐ２Ｐ接続の接続先の電話番号を格納するものであり、上記通信制御装置の夫々の上記送受信処理部は、発呼部と、着呼部と、応答検出部と、交渉部とを備え、上記接続元の発呼部は、上記第１の通信網におけるＶＰＮ結合に先行して、上記記憶部を参照し上記第２の通信網を通じて上記記憶部に格納された上記電話番号へ発呼し、接続先を呼び出すことにより、当該接続元から当該接続先へＰ２Ｐ接続を行わせ、上記接続先の着呼部は、上記記憶部を参照して着呼した接続元の電話番号と合致する電話番号を検出した際、当該検出を以って上記接続元の接続認証がなされたものとし、上記第２の通信網を通じて着呼に応答するものであり、上記接続元の応答検出部は、接続先が着呼に応答したことを、上記第２の通信網を通じて検出し、接続先の当該応答を以って当該接続先の接続認証がなされたものとし、上記接続先の接続認証と上記接続元の接続認証との完結により、上記通信制御装置の接続認証が完了したものとして、当該完了後、上記接続元と接続先双方の上記秘匿通信準備部は、上記交渉部に、上記第２の通信網を通じて上記ＶＰＮ結合情報を交換させ、接続元の上記通信制御装置に対して上記切替え部による上記第１の通信網での秘匿通信の開始を促すものである。
【００３１】
上記ＶＰＮ結合情報には、ＶＰＮ結合すべき上記端末夫々のグローバルＩＰアドレスが含まれる。また、上記ＶＰＮ結合情報には、上記秘匿通信にて利用するパラメータが含まれる。
【００３２】
より具体的には、上記記憶部は、アクセス権限の識別子を格納するプロジェクト名記憶部を備え、Ｐ２Ｐ接続の上記接続元の上記通信制御装置の上記応答検出部は、上記接続先の上記通信制御装置からの上記応答を検出すると、上記第２の通信網による通信が確立したことを当該接続元の上記通信制御装置の上記秘匿通信準備部へ通知し、当該通知を受けた上記秘匿通信準備部は、当該接続元の通信制御装置の上記交渉部を使用し、当該接続元の通信制御装置の記憶部の上記プロジェクト名記憶部に格納されているアクセス権限の識別子を上記接続先の通信制御装置へ送信し、上記第１の通信網上にＶＰＮトンネルを構築するために上記第２の通信網による交渉を継続してよいかの確認を行い、上記確認に対し、Ｐ２Ｐ接続の上記接続先の通信制御装置が上記第２の通信網による継続交渉を許諾しなかった場合は、秘匿通信要求不成立として処理を終了する。
【００３３】
特許第４８４８０５２号の上記通信制御装置は、広域通信網インターフェースと、音声通信網インターフェースと、上記特定情報を格納する上記記憶部と、上記送受信処理部と、上記秘匿通信準備部と、上記切替え部とを備えるものであり、上記広域通信網インターフェースは、終端装置を介して上記第１の通信網と接続可能なものであり、上記音声通信網インターフェースは、携帯端末を介して上記第２の通信網と接続可能なものであり、上記秘匿通信準備部は、上記第１の通信網において上記ＶＰＮ結合情報を、上記通信制御装置間で上記第２の通信網を通じて交換し、上記切替え部は、上記第２の通信網により当該交換された上記ＶＰＮ結合情報に基づく通信方法により、上記第１の通信網にて上記ＶＰＮによる秘匿通信を開始するものであり、上記利用者の認証として、上記通信制御装置の接続認証が含まれるものであり、上記秘匿通信には、暗号鍵方式を採用し、上記ＶＰＮ結合情報には、秘匿通信に採用する暗号鍵方式の情報が含まれ、上記特定情報とは接続先の電話番号であり、上記Ｐ２Ｐ接続の接続元の上記記憶部は、上記Ｐ２Ｐ接続の接続先の電話番号を格納するものであり、  上記通信制御装置の夫々の上記送受信処理部は、発呼部と、着呼部と、応答検出部と、交渉部とを備え、上記接続元の発呼部は、上記第１の通信網におけるＶＰＮ結合に先行して、上記記憶部を参照し上記第２の通信網を通じて上記記憶部に格納された上記電話番号へ発呼し、接続先を呼び出すことにより、当該接続元から当該接続先へＰ２Ｐ接続を行わせ、
上記接続先の着呼部は、上記記憶部を参照して着呼した接続元の電話番号と合致する電話番号を検出した際、当該検出を以って上記接続元の接続認証がなされたものとし、上記第２の通信網を通じて着呼に応答するものであり、上記接続元の応答検出部は、接続先が着呼に応答したことを、上記第２の通信網を通じて検出し、接続先の当該応答を以って当該接続先の接続認証がなされたものとし、上記接続先の接続認証と上記接続元の接続認証との完結により、上記通信制御装置の接続認証が完了したものとして、当該完了後、上記接続元と接続先双方の上記秘匿通信準備部は、上記交渉部に、上記第２の通信網を通じて上記ＶＰＮ結合情報を交換させ、接続元の上記通信制御装置に対して上記切替え部による上記第１の通信網での秘匿通信の開始を促すものである。
また、上記通信制御装置は、第１の通信網における経路制御を行うルータ部を備える。
尚、特許第４８４８０５２号の通信制御装置の構成を上記ＰＣユニットｂが備えるものとしても実施できる。
更に、通信制御装置をＰＣユニットｂと別にする場合も通信制御装置の構成を上記ＰＣユニットｂが備えるものとする場合も、上記特許第４８４８０５２号の装置に代え、特許第５１９２０７７号の特許発明に係る通信制御装置を利用することができる。特許第５１９２０７７号の特許発明に係る通信制御装置は、上記特定情報を上記Ｐ２Ｐ接続の端末を識別できる当該端末の固有番号とする点で特許第４８４８０５２号の特許発明に係る通信制御装置と相違するが、他の構成については、特許第４８４８０５２号の特許発明に係る通信制御装置と同じである。
【００３４】
図４へ示すように、電子書籍リーダａにＶＰＮ無線通信ユニットＲｕを接続した場合、ＶＰＮ無線通信ユニットＲｕ側のオン・オフによって、電子書籍リーダａの単体モードと遠隔モードとが切り替えられる。遠隔モードでは、通信経由で遠隔地のＰＣに接続され、当該ＰＣの制御化に置かれる。例えば、図４の遠隔地におかれたＰＣユニットｂをサーバ（図示しない）に接続することで、当該サーバと電子書籍リーダａとの間で通信を行うことができる。
また、図５へ示すように、ＰＣユニットｂが接続された端末（電子書籍リーダａ）と、ＰＣユニットｂが接続されたサーバ（図示しない）との間で、ＰＣユニット主導の通信ができる。
更に、電子書籍リーダａに上記以外の通信装置（通信ユニット）を接続して利用することもできる。但し当該通信装置は、電子書籍リーダａと接続可能な独自規格の接続部を備えるものとする。当該通信装置は、ＶＰＮを利用するものに限定ものではなく、ＶＰＮを利用しない他の通信手段を備えるものとしても実施できる。
【００３５】
（タイリングによる利用）
ＰＣユニットｂには、上記通信手段と共に複数の電子書籍リーダａと接続することが可能な複数の接続端子部を備えたものを採用し、複数の電子書籍リーダａと、遠隔にあるＰＣとの間でデータをやり取りすることもできる。
【００３６】
（各種の利用例）
例えば、音楽大学の学生が、楽譜データを上記画面データとして電子書籍リーダａに収容し、楽譜の代わりに電子書籍リーダａを見て、楽器の演奏を行うことができる。また、単体の電子書籍リーダａにおいても、入力ペンを用いた手書き入力により、楽譜データである画面データへメモを記入することができる。
また、電子書籍リーダａへ、ルータの機能を持つＶＰＮ無線通信ユニットＲｕを接続することにより、ノートＰＣや、タブレットＰＣのように移動しながら、ＶＰＮ無線通信ユニットＲｕの接続先のデータサーバや通信相手から得た楽譜データを電子書籍リーダａにて見ることができる。
【００３７】
また、音楽教育において電子書籍リーダａを利用することができる。例えば、音楽教室に、ＰＣユニットｂが取り付けられた電子書籍リーダａを用意する。教師が、ＰＣユニットｂを接続した電子書籍リーダａを使用する。生徒は教室へレッスンを受けに行く時、ＶＰＮ無線通信ユニットＲｕを取り付けた電子書籍リーダａを持参する。教師が生徒に出す課題は、教師の電子書籍リーダａから入力され、当該電子書籍リーダａに取り付けられたＰＣユニットｂから生徒の電子書籍リーダａに送られる。教師が書き込んだメモ書きも楽譜と一緒に生徒の電子書籍リーダａへ保存され、家へ帰ってから確認できる。
課題提出に際して、教室にタイイング可能な複数の接続端子を備えたＰＣユニットｂを置き、生徒が各自の電子書籍リーダａを差し込むだけで、課題の提出が行えるものとして実施することができる。
【００３８】
更に、合唱部やブラスバンド部の練習において電子書籍リーダａを利用することができる。この場合、通信手段を備えないＰＣユニットｂへ上記ＶＰＮ無線通信ユニットＲｕを接続し、当該ＰＣユニットｂを電子書籍リーダａへ取り付けて利用する。また、ＰＣユニットｂが通信機能を備える場合、ＰＣユニットｂを単独で電子書籍リーダａへ接続して利用することができ、別体の通信手段を省くことができる。
例えば、クラブに１台ＰＣユニットｂが取り付けられた電子書籍リーダａを用意するか、
ＨＤＭＩ（登録商標）やＤＶＩなどの端子を備えることにより他のディスプレイに接続され且つ通信機能が利用できるＰＣユニットｂを用意する。一方楽団員の構成に合わせて、ＶＰＮ無線通信ユニットＲｕを取り付けた、舞台に立つ人数分の電子書籍リーダａを用意するか、当該電子書籍リーダａを楽団員が持参する。
練習時には、演奏パートに応じた楽譜が、Wifi経由でクラブの上記ＰＣユニットｂから、各楽団員の電子書籍リーダａへ送信される。送信された楽譜とその上に書かれたメモ書きについては、楽団員夫々の電子書籍リーダａに保持できる。練習終了後に、各電子書籍リーダａ上でされたメモ書きは、各ＶＰＮ無線通信ユニットＲｕを通じて、ＰＣユニットｂにアップロードして保存することがきる。
【００３９】
また、オーケストラにおいて電子書籍リーダａを利用する場合、中心となる電子書籍リーダａは、上記練習の場合と同様のハードウエア構成に加えて、楽譜を管理するソフトウエア（アプリケーション）をＰＣユニットｂへインストールしておき、楽譜管理システムを構築しておく。楽譜管理システムのＰＣユニットｂは、種々の楽譜データを収容するものとし或いは有線又は無線で種々の楽譜データを収容するサーバから楽譜データを取得することができるものとし、各加入者の電子書籍リーダａに接続されたＰＣユニットｂへ楽譜管理システムから必要な楽譜をダウンロードするものとすることができる。この場合、ダウンロードしたＰＣユニットｂから各アカウントに応じた楽譜を展開できるものとする。
電子書籍リーダａでされたメモ書きはアカウント毎にＰＣユニットｂへ保存する。そして、上記中心となる楽譜管理システムにアップロードできるものとすればよい。
上記楽譜管理システムを利用して、オーケストラのスコアの全パートの楽譜の管理を行うことができる。
また、上記の特許第４８４８０５２号又は特許第５１９２０７７号の通信制御装置にて通信時刻、通信終了時刻のログを採り、楽譜データの利用状況を把握することができる。当該ログを特定の楽譜の著作権管理に利用することもできる。
【００４０】
その他、電子書籍リーダａにＰＣユニットｂ又はＶＰＮ無線通信ユニットＲｕを取り付けて、デジタルサイネージとして電子書籍リーダａを利用することができる。デジタルサイネージとして利用する場合、ＰＣユニットｂに上記タイイング可能なものを採用し、複数の電子書籍リーダａを数珠つなぎにし、夫々異なる画面データを表示することができる。具体的には、電子書籍リーダａ同士を直接接続で一筆書きに接続すると、電子書籍リーダａによって構築された表示エリアをＰＣユニットｂが認識し、表示画像を編集コントロールできるものとすればよい。
また、電子書籍リーダａにＶＰＮ無線通信ユニットＲｕまたはＰＣユニットｂを取り付けて、電子書籍として新聞を読むことができる。例えば、ベッドにいながら、Ｗｉｆｉ経由で新聞社のサーバから配信された朝刊を読むことができる。
【００４１】
更に、電子書籍リーダａにおいて、端末毎に異なる画像を表示する「楽譜モード」と、全端末に同じ画像を表示する「会議モード」とを選択可能とし、上記の各場面において１台の電子書籍リーダａの最適な利用を図ることができる。
例えば、複数の会議参加者の夫々が電子書籍リーダａを使用するものとし、独自通信プロトコルで有線接続した場合、各電子書籍リーダａをタイリングして、会議モードを選択すると、上記デジタルサイネージの場合と同様、タイリングした複数の電子書籍リーダａを１枚のディスプレイとし認識させるものとすることができる。
【００４２】
（概括）
電子書籍リーダａは、ケース１０内に、モニタとビデオカードとメモリとマイコンＭと携帯電話のバッテリ程度の容量・寸法のバッテリを搭載するのみの構成であり、電子書籍リーダａのみで、書籍や新聞、雑誌、楽譜、写真、地図その他のデータの表示を行うことができる。即ち、この電子書籍リーダａにおいて、マイコンＭが、ビデオパネルＰ4に表示する画面データを、不揮発性メモリ３からメインメモリｍＭに展開し、ＧＰＵ４によってビデオパネルＰに表示させる。マイコンＭは、ファームウエアとして上記処理に必要な特定のプログラムのみ具備する。電子書籍リーダａは、マイコンレベルでの制御となるので、表示動作は速い。また、ファイルシステムを備えないので、この点でも高速に動作する。このため、バッテリも長持ちする。例えば、１回の充電で約１週間の利用を可能とできる。
モニタ以外のデバイスは、オンボードとすること、即ち一枚のボード（ディスプレイユニットコントロール基板）へ実装することができる。
また、電子書籍リーダａのみでの、タッチペンでの書き込みを行うことができる。
一般に通信時にバッテリを食うために大きなバッテリが必要となるが、この電子書籍リーダａは、通信手段即ちＶＰＮ無線通信ユニットＲｕを電子書籍リーダａと別筐体とするため、電子書籍リーダａ単体での使用の可搬性を損なわない。
また、ＣＰＵを備えた制御手段即ちＰＣユニットｂも別筐体とすることにより、電子書籍リーダａ単体での使用の可搬性を損なわない。ルータ機能を備えたＶＰＮ無線通信ユニットＲｕ（通信手段）を介して、１つの制御手段から複数の電子書籍リーダａにデータ送信することができる。
【符号の説明】
【００４３】
１  マイコン
２  揮発性メモリ
３  不揮発性メモリ
４  ＧＰＵ
５  モニタ
６  送り操作部
【図１】
2016200706.tif 000003
【図２】
2016200706.tif 000004
【図３】
2016200706.tif 000005
【図４】
2016200706.tif 000006
【図５】
2016200706.tif 000007